(57)【要約】【課題】  発信側通信端末装置は、発信に先だって通信の内容に関する情報を送信し、着信側通信端末装置は、その送信された情報と、自装置内に記憶された設定とに従って着信時処理を行い及び／または応答情報を発信側通信端末装置に送信する通信端末装置を提供する。【解決手段】  着信側通信端末装置は、通信内容通知用の情報を受信し（ステップＳ４１ｄの「ＹＥＳ」）、その情報からその通信の発信を許可するか否かを判定し、その判定結果を発信側通信端末装置に送信する（ステップＳ４１ｉ）。そして、その発信を許可するか否かの判定に従って（ステップＳ４１ｑ）、通信内容を表示する着信処理を行い（ステップＳ４１ｔ）、または、その発信を切断する（ステップＳ４１ｒ）。【選択図】  図１５
2007088974.tif 000002
【特許請求の範囲】
【請求項１】
通信内容に関する情報を受信し、その情報に応じてその通信の発信の可否を送信する着信側通信端末装置と通信網を介して通信可能な発信側通信端末装置であって、
前記通信内容に関する情報を前記着信側通信端末装置に送信する通信内容送信手段と、
前記通信内容送信手段によって送信された情報に応答して前記着信側通信端末装置によって送信された、発信が可または発信が否を示す情報を受信する発信可否受信手段と、
前記発信可否受信手段によって受信された情報が発信が可を示す場合、前記着信側通信端末装置に対して発信信号を送信する発信制御手段と
を有することを特徴とする発信側通信端末装置。
【請求項２】
通信内容に関する情報を送信し、その通信の発信の可否を受信する発信側通信端末装置と通信網を介して通信可能な着信側通信端末装置であって、
通信内容に関する情報と、発信の可否とを対応付けた発信許可条件を記憶する発信許可設定記憶手段と、
前記発信側通信端末装置によって送信された前記通信内容に関する情報を受信する通信内容受信手段と、
前記通信内容受信手段によって受信された通信内容に関する情報と対応付けて前記発信許可設定記憶手段に記憶された発信の可否を検索する発信可否検索手段と、
前記発信可否検索手段によって検索された発信が可または発信が否を示す情報を前記発信側通信端末装置に送信する発信可否送信手段と
を有することを特徴とする着信側通信端末装置。
【請求項３】
通信内容に関する情報を送信し、その通信の発信の可否を受信し、その通信の発信をする発信側通信端末装置と通信網を介して通信可能な着信側通信端末装置であって、
通信内容に関する情報と、発信の可否とを対応付けた発信許可条件を記憶する発信許可設定記憶手段と、
通信内容に関する情報と、着信報知方法とを対応付けて記憶する呼び出し設定記憶手段と、
前記発信側通信端末装置によって送信された通信内容に関する情報を受信する通信内容受信手段と、
前記通信内容受信手段によって受信された通信内容に関する情報と対応付けて前記発信許可設定記憶手段に記憶された発信の可否を検索する発信可否検索手段と、
前記発信可否検索手段によって検索された発信が可または発信が否を示す情報を前記発信側通信端末装置に送信する発信可否送信手段と、
前記発信側通信端末装置によって送信された発信信号を受信する発信信号受信手段と、
前記発信可否検索手段によって検索された情報が発信が可であり、かつ、前記発信信号受信手段によって発信信号が受信された場合、前記通信内容受信手段によって受信された通信内容に関する情報と対応付けて前記呼び出し設定記憶手段に記憶された着信報知方法によって前記発信信号が受信されたことを報知する着信報知手段と
を有することを特徴とする着信側通信端末装置。
【請求項４】
通信内容に関する情報と付加情報とを送信し、その通信の発信の可否を受信し、その通信の発信をする発信側通信端末装置と通信網を介して通信可能な着信側通信端末装置であって、
通信内容に関する情報と、発信の可否とを対応付けた発信許可条件を記憶する発信許可設定記憶手段と、
前記発信側通信端末装置によって送信された通信内容に関する情報と付加情報とを受信する通信内容受信手段と、
前記通信内容受信手段によって受信された通信内容に関する情報と対応付けて前記発信許可設定記憶手段に記憶された発信の可否を検索する発信可否検索手段と、
前記発信可否検索手段によって検索された発信が可または発信が否を示す情報を前記発信側通信端末装置に送信する発信可否送信手段と、
前記発信側通信端末装置によって送信された発信信号を受信する発信信号受信手段と、
前記発信可否検索手段によって検索された情報が発信が可であり、かつ、前記発信信号受信手段によって発信信号が受信された場合、前記通信内容受信手段によって受信された付加情報を報知する着信報知手段と
を有することを特徴とする着信側通信端末装置。
【請求項５】
前記発信許可設定記憶手段は、通信内容に関する情報と対応付けて、更に発信拒否情報を記憶し、
前記発信可否検索手段は、更に前記通信内容受信手段によって受信された通信内容に関する情報と対応付けて前記発信許可設定記憶手段に記憶された発信拒否情報を検索し、
前記発信可否検索手段によって検索された情報が発信が否である場合、前記発信可否送信手段は、前記発信可否検索手段によって検索された発信が否を示す情報と、前記発信可否検索手段によって検索された発信拒否情報とを前記発信側通信端末装置に送信する
ことを特徴とする請求項３または請求項４に記載の着信側通信端末装置。
【発明の詳細な説明】
【技術分野】
【０００１】
本発明は、通信端末装置に係り、特に、通信の発信に先んじてその通信内容に関する情報を通信する処理に関する。
【背景技術】
【０００２】
通信端末装置に通話の着信があった場合、その装置の使用者はその着信に対応する着呼処理を行い、通話をするのが通例である。しかし、使用者が多忙な場合、使用者は、その着信に対して作業を中止して通話をすべきか否かの判断ができない問題点があった。なぜなら、着呼処理の前に使用者が知ることができるのは発信者の電話番号のみであり、その着信によって開始される通話の内容を知ることができないからである。特に、移動通信端末装置は、使用者が常に携帯するため、会議中などの通話が困難な際に着信がある場合も多く、その問題点は顕著である。
【０００３】
そこで、発信者が発信時に通話の内容に関する情報、例えば、緊急な内容であるか否かを選択し、その情報は、発信側通信端末装置から、例えば、通信プロトコルによって定められたファシリティ情報として着信側通信端末装置に送信され、着信側通信端末装置は、その情報を着信時に表示する処理が知られている。更に、着信側通信端末装置からその情報に対する応答を発信側通信端末装置に送信する処理が知られている（例えば、特許文献１参照。）。
【特許文献１】特開２００４−３２０５４４号公報（第２頁、図１）
【発明の開示】
【発明が解決しようとする課題】
【０００４】
しかしながら、上述した特許文献１に開示されている方法では、着信側通信端末装置の使用者は、応答が困難な場合、対処に窮し、また、後刻応答するつもりで応答を失念する可能性がある問題点があった。また、例えば、装置にマナーモードの設定（着信の報知に着信音を用いない設定。）がされており、着信側通信端末装置の使用者は、着信に気が付かないまま緊急度の高い内容の通話の着信に応答しない可能性がある問題点があった。
【０００５】
本発明は上記問題点を解決するためになされたもので、発信側通信端末装置は、発信に先だって通信の内容に関する情報を送信し、着信側通信端末装置は、その送信された情報と、自装置内に記憶された設定とに従って着信時処理を行い及び／または応答情報を発信側通信端末装置に送信する通信端末装置を提供することを目的とする。
【課題を解決するための手段】
【０００６】
上記目的を達成するために、本発明の発信側通信端末装置は、通信内容に関する情報を受信し、その情報に応じてその通信の発信の可否を送信する着信側通信端末装置と通信網を介して通信可能な発信側通信端末装置であって、前記通信内容に関する情報を前記着信側通信端末装置に送信する通信内容送信手段と、前記通信内容送信手段によって送信された情報に応答して前記着信側通信端末装置によって送信された、発信が可または発信が否を示す情報を受信する発信可否受信手段と、前記発信可否受信手段によって受信された情報が発信が可を示す場合、前記着信側通信端末装置に対して発信信号を送信する発信制御手段とを有することを特徴とする。
【０００７】
また、本発明の着信側通信端末装置は、通信内容に関する情報を送信し、その通信の発信の可否を受信する発信側通信端末装置と通信網を介して通信可能な着信側通信端末装置であって、通信内容に関する情報と、発信の可否とを対応付けた発信許可条件を記憶する発信許可設定記憶手段と、前記発信側通信端末装置によって送信された前記通信内容に関する情報を受信する通信内容受信手段と、前記通信内容受信手段によって受信された通信内容に関する情報と対応付けて前記発信許可設定記憶手段に記憶された発信の可否を検索する発信可否検索手段と、前記発信可否検索手段によって検索された発信が可または発信が否を示す情報を前記発信側通信端末装置に送信する発信可否送信手段とを有することを特徴とする。
【発明の効果】
【０００８】
本発明によれば、発信側通信端末装置は、発信に先だって通信の内容に関する情報を送信し、着信側通信端末装置は、その送信された情報と、自装置内に記憶された設定とに従って着信時処理を行い及び／または応答情報を発信側通信端末装置に送信する通信端末装置を提供することができる。
【発明を実施するための最良の形態】
【０００９】
以下に、本発明による通信端末装置の実施の形態を、図面を参照して説明する。図１は、本発明の実施形態に係る通信端末装置を含む通信システムの構成を示すブロック図である。この通信システムは、本発明の実施形態に係る通信端末装置が適用された、複数の移動通信端末装置ＭＳが通信網ＮＷを介して通信可能に構成されている。
【００１０】
図２は、本発明を折畳み型の移動通信端末装置ＭＳに実施した場合における、装置の上下筐体の折畳みを開いた時の正面の外観を示す図である。この移動通信端末装置ＭＳは、上筐体ＭＳ１と下筐体ＭＳ２とが、ヒンジ部ＭＳ３によって回動自在に連結されてなる。
【００１１】
上筐体ＭＳ１の内面には、受話に用いられるスピーカ７と、使用者に操作を促す表示や、使用者が操作した内容の表示や、カーソル位置や、装置の動作状態の表示などに用いられるバックライト付きのＬＣＤ（Liquid Crystal Display）からなる表示部１７とが設置されている。
【００１２】
また、下筐体ＭＳ２の内面には、送話に用いられるマイクロフォン８が設置されている。下筐体ＭＳ２の内面には、キーパッドからなるキーボード２１が設けられている。更に、下筐体ＭＳ２の外面には、電波の送受に用いられるアンテナ（図示せず）が設置されている。
【００１３】
キーボード２１は、下筐体ＭＳ２の内面に設置され、各機能での確定や選択を指示するために用いられるワープ中央キー２１ａと、ワープ中央キー２１ａに隣接してワープ中央キー２１ａを取り囲んで設置され、表示部１７上のカーソル位置の移動指示などに用いられるワープ十字キー２１ｂとを含む。また、下筐体ＭＳ２の内面で表示部１７の近く、即ち、上筐体１の近くに左から右へ設置され、表示部１７に左から右に表示された第１及び第２の機能を選択するために用いられる第１の機能キー２１ｃと、第２の機能キー２１ｄとを含む。
【００１４】
更に、キーボード２１は、英数字や文字、記号の入力などに用いられる数字キーと、移動通信端末装置ＭＳの電源の投入及び切断などの動作指示の入力に用いられる複数の機能キーとを含んでいる。
【００１５】
図３は、移動通信端末装置ＭＳの構成を示すブロック図である。この移動通信端末装置ＭＳは、ＵＩ（ユーザインターフェース）制御部１と、装置全体の制御をする制御部２と、通信制御部３と、基地局（図示せず）との間で電波の送受信を行うアンテナ４と、通話制御部５と、音声制御部６と、受話用のスピーカ７と、送話用のマイクロフォン８と、ＴＶ（テレビ）電話制御部９と、ＬＥＤ（発光ダイオード）制御部１０と、任意の色で発光するＬＥＤ１１と、ＳＭＳ（ショートメッセージサービス）制御部１２と、バイブレータ制御部１３と、振動を発生させるバイブレータ１４と、メール制御部１５と、表示制御部１６と、ＬＣＤである表示部１７と、設定値データ１８と、設定値データ制御部１９と、キー制御部２０と、キーボード２１と、発話内容制御部２２と、アドレス帳２３と、アドレス帳制御部２４とからなる。
【００１６】
上記のように構成された、本発明の実施形態に係る情報処理装置の各部の動作を、図３を参照して説明する。
【００１７】
ＵＩ制御部１は、装置の各種の設定値の入力を促す表示を表示制御部１６を制御して表示部１７に表示させ、入力された設定値を設定値データ制御部１９を制御して設定値データ１８に記憶させる。
【００１８】
通信制御部３は、アンテナ４が受信した高周波信号を増幅、周波数変換及び復調し、それによって得られたディジタル音声信号を通話制御部５へ、ディジタル映像音声信号をＴＶ電話制御部９へ、また、着信信号を含む制御信号を制御部２に送る。更に、通話制御部５から送信されるディジタル音声信号、ＴＶ電話制御部９から送信されるディジタル映像音声信号及び制御部２から送信される制御信号を変調、周波数変換及び増幅し、高周波信号を得て、それをアンテナ４より送信する。
【００１９】
通話制御部５は、通信制御部３から送信されたディジタル音声信号をアナログ音声信号に変換して、音声制御部６に送信してスピーカ７から音声を発生させる。また、マイクロフォン８から入力され、音声制御部６から送信されたアナログ音声信号をディジタル音声信号に変換して、通信制御部３に送信する。
【００２０】
音声制御部６は、通話制御部５またはＴＶ電話制御部９から送信されたアナログ音声信号を増幅して、スピーカ７に送って音声を発生させる。また、マイクロフォン８から出力されたアナログ音声信号を増幅して、通話制御部５またはＴＶ電話制御部９に送信する。
【００２１】
ＴＶ電話制御部９は、通信制御部３から送信されたディジタル映像音声信号をアナログ映像信号及びアナログ音声信号に変換して、アナログ映像信号を表示制御部１６に送信して表示部１７に表示させ、アナログ音声信号を音声制御部６に送信してスピーカ７から音声を発生させる。また、マイクロフォン８から入力され、音声制御部６から送信されたアナログ音声信号及びＴＶ電話制御部９に接続されたカメラ（図示せず）から送信されたアナログ映像信号をディジタル映像音声信号に変換して、通信制御部３に送信する。
【００２２】
ＬＥＤ制御部１０は、色を指定して起動され、ＬＥＤ１１を指定された色で点灯させる。また、点灯に限るものではなく、指定に従って、点滅させる。
【００２３】
ＳＭＳ制御部１２は、ショートメッセージの送受信と、受信されたショートメッセージの管理とを行う。即ち、ＳＭＳ制御部１２は、キー制御部２０から送信されたキーの識別子に従って、または、装置の各部の要求に従って、ショートメッセージの宛先の電話番号と、本文データとからなるショートメッセージ（送信メッセージ）を作成する。そして、その送信メッセージを制御部２経由で通信制御部３、アンテナ４、基地局を介して宛先の電話番号で識別される移動通信端末装置ＭＳに送信する。
【００２４】
また、ＳＭＳ制御部１２は、移動通信端末装置ＭＳから基地局、アンテナ４、通信制御部３を介して送られたショートメッセージ（受信メッセージ）を制御部２経由で受信し、受信された受信メッセージをＳＭＳ制御部１２内の記憶部（図示せず）に格納する。そして、ＳＭＳ制御部１２は、キー制御部２０から送信されたキーの識別子に従って、または、装置の各部の要求に従って、制御部２によって起動され、ＳＭＳ制御部１２内の記憶部に記憶された受信メッセージを表示制御部１６に送って表示部１７に表示させ、または、要求を送信した装置の各部に送信する。
【００２５】
バイブレータ制御部１３は、起動され、バイブレータ１４を振動させる。
【００２６】
メール制御部１５は、電子メールの送受信と、受信された電子メールの管理とを行う。即ち、メール制御部１５は、キー制御部２０から送信されたキーの識別子に従って、電子メールの宛先メールアドレスと、標題と、本文データとからなる電子メール（送信メール）を作成する。そして、その送信メールを制御部２経由で通信制御部３、アンテナ４、基地局を介してメールサーバ装置（図示せず）に送信する。
【００２７】
また、メール制御部１５は、メールサーバ装置から基地局、アンテナ４、通信制御部３を介して送られた電子メール（受信メール）を制御部２経由で受信し、受信された受信メールを、メール制御部１５内の記憶部（図示せず）に格納する。そして、メール制御部１５は、キー制御部２０から送信されたキーの識別子に従って、または、装置の各部の要求により、制御部２によって起動され、メール制御部１５内の記憶部に記憶された受信メールを表示制御部１６に送って表示部１７に表示させ、または、要求を送信した装置の各部に送信する。
【００２８】
表示制御部１６は、制御部２に制御されて、装置の各部から送信されたカーソルを含む文字・数字や画像データを表示部１７に表示させる。各部から送信されるデータは、キー制御部２０からの入力信号や通信制御部３からの着信信号に応答して制御部２からの指示を受けることで切換わる。
【００２９】
設定値データ１８には、この装置が通信内容を示す情報を受信した場合、この装置が行う動作を示す設定値が記憶される。即ち、図４に一例を示す発信許可設定値１８ａは、モード１８ｂと、発信許可１８ｃと、拒否時動作１８ｄと、認証情報１８ｅと、拒否時メッセージ１８ｆとが対応付けられた情報の組からなり、通信内容を示す情報が発信許可１８ｃに当てはまれば発信を可とし、当てはまらなければ発信を否とする発信許可条件を表す。
【００３０】
即ち、この装置がモード１８ｂにある際、発信許可１８ｃに当てはまり、かつ、認証情報１８ｅを伴った通信内容を示す情報を受信した場合、この装置は、その受信された情報に対応する発信を許可する。それ以外の場合、この装置は、発信を許可せず、拒否時動作１８ｄの動作を行う。
【００３１】
また、設定値データ１８には、この装置が着信信号を受信した場合、この装置が行う呼び出し設定値、即ち、着信報知動作設定値が記憶される。図５に一例を示す呼び出し設定値１８ｇは、着信信号に対応する通信の種類を示す着信種別１８ｈと、着信種別１８ｈ毎に定められた通信の程度を示す度合い１８ｉと、メロディ１８ｊと、音量１８ｋと、追加動作モード１８ｍと、ＬＥＤ動作１８ｎとが対応付けられた情報の組からなる。
【００３２】
そして、上記着信信号を受信する前に、この装置が着信種別１８ｈと度合い１８ｉとからなる通信内容を示す情報を受信した場合、この装置は、その情報の着信種別１８ｈと度合い１８ｉとを検索キーに、呼び出し設定値１８ｇからメロディ１８ｊと、音量１８ｋと、追加動作モード１８ｍと、ＬＥＤ動作１８ｎとを検索する。
【００３３】
そして、この装置は、メロディ１８ｊと音量１８ｋで識別される着信報知と、ＬＥＤ動作１８ｎで識別されるＬＥＤの動作による着信報知を行う。なお、装置が追加動作モード１８ｍにある際、上記着信報知がそのモードで行われるものであるか否かを問わず、上記着信報知を行う。なお、設定値データ１８に記憶される設定値は、上記に限るものではない。
【００３４】
図６は、アドレス帳２３の一例を示す。このアドレス帳２３は、氏名２３ａと、電話番号２３ｂと、メールアドレス２３ｃとが対応付けられた情報の組からなる。アドレス帳２３は、これに限るものではなく、この他の情報が対応付けられていても良い。
【００３５】
設定値データ制御部１９は、ＵＩ制御部１によって入力された設定値を設定値データ１８に記憶する。また、装置の各部の検索要求に応じて、設定値データ１８に記憶された設定値を読み出して、送信する。
【００３６】
キー制御部２０は、キーボード２１のキーが操作されると、その操作されたキーを検出して、そのキーの識別子を制御部２に通知する。そして、制御部２によって、表示部１７に文字として表示され、装置の各部に送信され、または、制御が行われる。
【００３７】
キーボード２１は、通話相手の電話番号などを指定し、また、トグル式の入力方式によって文字を入力するための数字キーと、機能キーとを含むキーからなる。
【００３８】
発話内容制御部２２は、通話発信に先だって、その通話の内容を示す情報を送信メッセージとして発信先の移動通信端末装置ＭＳに送信する。そして、その送信メッセージに応答して送信されたメッセージを受信して、そのメッセージに応じて発信を行い、または、行わない。また、発話内容制御部２２は、通話の内容を示す情報を受信メッセージとして受信して、その受信された情報と、設定値データ１８に記憶された設定値とに従って、着信に対する応答を決定し、その決定された応答を受信メッセージへの回答の送信メッセージとして送信し、そして、その決定された応答をする。
【００３９】
アドレス帳制御部２４は、キー制御部２０から送信されたキーの識別子に従って、氏名と、電話番号と、メールアドレスとを受信して、それぞれを氏名２３ａ、電話番号２３ｂ、及び、メールアドレス２３ｃに設定して、アドレス帳２３に記憶する。また、キー制御部２０から送信されたキーの識別子に従って、または、装置の各部の検索要求に応じて、アドレス帳２３に記憶された氏名２３ａと、電話番号２３ｂと、メールアドレス２３ｃとを検索して、送信する。
【００４０】
以下、本実施形態に係る移動通信端末装置ＭＳの、着信に対する応答に関する設定値の設定処理、通話の内容を示す情報を発信先の移動通信端末装置ＭＳに送信して、その情報に対する応答に従う発信処理、及び、通話の内容を示す情報を受信して、その情報と上記設定値とに従う着信に対する応答処理に関する動作を説明する。
【００４１】
（着信に対する応答に関する設定値の設定処理）
図７及び図８は、ＵＩ制御部１が着信に対する応答に関する設定値を入力する際の、表示部１７の表示の一例を示す。ＵＩ制御部１は、キー制御部２０から送信されたキーの識別子に従って、制御部２によって起動され、着信に対する応答に関する設定値を入力する動作を開始し、図７（ａ）に示す機能選択画面を表示する。
【００４２】
この画面は、画面上部に位置し、移動通信端末装置ＭＳによって受信された電波の強度を示すアンテナと０〜３本の縦線とからなるピクトと、充電池（図示せず）に蓄えられた電力の多寡を示す電池形状からなるピクトと、時刻を示すピクトとからなるピクト欄１７ａと、画面下部の左側に位置する第１の機能表示１７ｂと、画面下部の右側に位置する第２の機能表示１７ｃと、画面中央部に位置する機能選択メニュー１７ｄとからなる。
【００４３】
なお、ピクト欄１７ａは、制御部２によって、常に表示される。また、第１の機能表示１７ｂと、第２の機能表示１７ｃとは、動作中の処理部（この場合、ＵＩ制御部１。）毎に受け付ける制御指示を、文字を表示することによって明示するものであり、それぞれ、第１の機能表示１７ｂの近くに位置するキーボード２１の第１の機能キー２１ｃと、第２の機能表示１７ｃの近くに位置するキーボード２１の第２の機能キー２１ｄとが操作されることによって、表示された制御指示が入力される。
【００４４】
図７（ａ）に示す機能選択メニュー１７ｄは、「機能メニュー」なる標題文字と、２つの選択肢「［１］発信許可設定」及び「［２］音／バイブ」を示す文字とが表示され、これらの２つの選択肢の中のいずれかをワープ十字キー２１ｂによるカーソル移動操作とワープ中央キー２１ａによる確定操作とによって選択することが促されている。
【００４５】
また、第１の機能表示１７ｂには、「戻る」なる文字が表示され、第１の機能キー２１ｃが操作されると、この機能選択画面が表示される前に表示されていた画面が表示されることを示す。更に、第２の機能表示１７ｃには、「メニュー」なる文字が表示され、第２の機能キー２１ｄが操作されると、新たなメニューが表示されることを示す。
【００４６】
上記「［１］発信許可設定」が選択されると、ＵＩ制御部１は、図７（ｂ）に示すモード選択画面を表示する。このモード選択画面では、画面中央部にモード選択メニュー１７ｅが表示される。モード選択メニュー１７ｅは、「モード選択」なる標題文字と、３つの選択肢「［１］通常モード」、「［２］マナーモード」及び「［３］ドライブモード」を示す文字と、「発信許可設定を行うモードを選択して下さい。」なる、上記３つの発信許可設定を行うモードからなる選択肢の中の、いずれかをワープ十字キー２１ｂによるカーソル移動操作とワープ中央キー２１ａによる確定操作とによって選択することを促す文字とからなる。
【００４７】
上記「［２］マナーモード」が選択されると、ＵＩ制御部１は、図７（ｃ）に示す発信許可設定画面を表示する。この発信許可設定画面では、画面中央部に設定入力欄１７ｆが表示される。設定入力欄１７ｆには、「マナーモード発信許可設定」なる標題文字と、発信許可の条件と、発信拒否時の動作と、認証情報と、拒否時のメッセージとの入力を促す文字が表示されている。図７（ｃ）に示す例では、発信許可の条件として「緊急  ３」、発信拒否時の動作として「自動ＳＭＳ」、認証情報として「ＸＸＸＸ」そして、拒否時のメッセージとして「取り込み中のため、応答することができません。」なる入力がされている。ここで、発信拒否時の動作として、複数の動作が入力されても良い。
【００４８】
ＵＩ制御部１は、これらの画面を介して入力された設定値を設定値データ制御部１９を制御して設定値データ１８に記憶させる。即ち、図７（ｂ）に示すモード選択メニュー１７ｅで選択された「マナーモード」をモード１８ｂに、図７（ｃ）に示す設定入力欄１７ｆで入力された「緊急  ３」から「緊急着信、緊急度３以上」を作成して発信許可１８ｃに、「自動ＳＭＳ」を拒否時動作１８ｄに、「ＸＸＸＸ」を認証情報１８ｅに、「取り込み中のため、応答することができません。」を拒否時メッセージ１８ｆに設定した情報を発信許可設定値１８ａに記憶させる。
【００４９】
この設定された情報により、移動通信端末装置ＭＳは、マナーモードが設定されている場合、緊急度が３以上である緊急の通話であるとのメッセージが認証情報１８ｅを伴って受信され、それに続いて着信があれば発信を許可し、即ち、着信報知を行う。そして、マナーモードが設定されている場合、上記以外のメッセージ、または、認証情報１８ｅを伴わないメッセージに続いて着信があれば発信を拒否し、拒否時メッセージ１８ｆ「取り込み中のため、応答することができません。」なるメッセージを拒否時動作１８ｄに従って、自動的にＳＭＳ制御部１２によって送信する。
【００５０】
設定入力欄１７ｆを用いた設定の入力に際し、拒否時動作として、上記の「自動ＳＭＳ」の他、特段の動作をしないことや、留守番電話部（図示せず）を動作させ、録音動作をさせることが選択できる。これらが選択された場合、ＵＩ制御部１は、選択された動作を拒否時動作１８ｄに設定して、発信許可設定値１８ａに記憶させる。
【００５１】
ＵＩ制御部１は、図７（ｂ）に示すモード選択メニュー１７ｅで、「［１］通常モード」が選択された場合、モード１８ｂが「通常モード」である情報を発信許可設定値１８ａに記憶させ、「［３］ドライブモード」が選択された場合、モード１８ｂが「ドライブモード」である情報を発信許可設定値１８ａに記憶させる。その記憶の際、各モード１８ｂと対をなした、図７（ｃ）に示す設定入力欄１７ｆで入力された発信許可の条件と、発信拒否時の動作と、認証情報と、拒否時のメッセージとの１組または複数組の情報を発信許可設定値１８ａに記憶させる。
【００５２】
図７（ａ）に示す機能選択メニュー１７ｄで選択肢「［２］音／バイブ」が選択された場合、ＵＩ制御部１は、図８（ａ）に示す音／バイブ設定画面を表示する。この音／バイブ設定画面では、画面中央部に着信種別選択メニュー１７ｇが表示される。着信種別選択メニュー１７ｇは、「音／バイブ設定」なる標題文字と、５つの選択肢「［１］通常着信」、「［２］緊急着信」、「［３］メール受信」、「［４］ＳＭＳ受信」及び「［５］キー操作音」を示す文字とからなる。
【００５３】
ワープ十字キー２１ｂによるカーソル移動操作とワープ中央キー２１ａによる確定操作とによって、上記「［２］緊急着信」が選択されると、ＵＩ制御部１は、図８（ｂ）に示す緊急着信用音／バイブ設定画面を表示する。この緊急着信用音／バイブ設定画面では、画面中央部に設定入力欄１７ｈが表示される。設定入力欄１７ｈは、「緊急着信設定」なる標題文字と、度合いと、メロディと、音量と、ＬＥＤとの入力を促す文字が表示されている。図８（ｂ）に示す例では、度合いとして「５」、メロディとして「アラーム１」、音量として「レベル５」及び「マナーモード時も同様」と、ＬＥＤとして「赤色」なる入力がされている。
【００５４】
ＵＩ制御部１は、これらの画面を介して入力された設定値を、設定値データ制御部１９を制御して設定値データ１８に記憶させる。即ち、図８（ａ）に示す着信種別選択メニュー１７ｇで選択された「［２］緊急着信」から「緊急着信」を作成して着信種別１８ｈに、図８（ｂ）に示す設定入力欄１７ｈで入力された「５」を度合い１８ｉに、「アラーム１」をメロディ１８ｊに、「レベル５」を音量１８ｋに、「マナーモード時も同様」から「マナーモード」を作成して追加動作モード１８ｍに、「赤色」をＬＥＤ動作１８ｎに設定した情報を呼び出し設定値１８ｇに記憶させる。
【００５５】
この設定された情報により、移動通信端末装置ＭＳは、度合い１８ｉ「５」である着信種別１８ｈが「緊急着信」の通話であるとのメッセージが受信され、それに続いて着信があれば、メロディ１８ｊ「アラーム１」である着信音を音量１８ｋ「レベル５」で鳴動させる。追加動作モード１８ｍの「マナーモード」に従って、マナーモードの設定がされていることを問わず鳴動させる。更に、ＬＥＤ動作１８ｎ「赤色」に従って、ＬＥＤ１１を赤色に点灯させる。
【００５６】
この設定入力欄１７ｈを用いた入力処理を繰り返すことにより、緊急着信の際の報知手段として、着信音の鳴動、バイブレータ１４の振動及びＬＥＤ１１の点灯を任意に選択して組み合わせることができ、また、報知を行わないことが選択できる。ＵＩ制御部１は、これらの選択された報知手段を呼び出し設定値１８ｇに記憶させる。
【００５７】
ＵＩ制御部１は、図８（ａ）に示す着信種別選択メニュー１７ｇで、「［１］通常着信」が選択された場合、着信種別１８ｈが「通常着信」である情報を呼び出し設定値１８ｇに記憶させ、「［３］メール受信」が選択された場合、着信種別１８ｈが「メール受信」である情報を呼び出し設定値１８ｇに記憶させ、「［４］ＳＭＳ受信」が選択された場合、着信種別１８ｈが「ＳＭＳ受信」である情報を呼び出し設定値１８ｇに記憶させ、「［５］キー操作音」が選択された場合着信種別１８ｈが「キー操作音」である情報を呼び出し設定値１８ｇに記憶させる。
【００５８】
これらの記憶の際、ＵＩ制御部１は、各着信種別１８ｈと対をなした、図８（ｂ）に示す設定入力欄１７ｈで入力された度合いと、メロディと、音量と、ＬＥＤとの１組または複数組の情報を呼び出し設定値１８ｇに記憶させる。
【００５９】
（通話の内容を示す情報を送信して、その情報に対する応答に従う発信処理）
移動通信端末装置ＭＳが、通話の内容を示す情報を発信先の移動通信端末装置ＭＳに送信して、その情報に対する応答を受信して、その受信された応答に従って行う発信処理を説明する。
【００６０】
図９は、発話内容制御部２２のこの処理の動作のフローチャートを示し、図１０及び図１１は、この処理の際の表示部１７の表示の一例を示す。制御部２は、キー制御部２０から数字キーの識別子を受信して発話内容制御部２２を起動し、発話内容制御部２２は、動作を開始し（ステップＳ３１ａ）、受信された識別子が電話番号の入力であるか否かを判断する（ステップＳ３１ｂ）。例えば、待ち受け状態にある場合に数字が入力された場合、電話番号の入力であると判断し、その他の状態にある場合に数字キーが操作された場合、電話番号の入力ではないと判断する。電話番号の入力でないと判断された場合、その際の状態に応じた他の処理の動作に移る（ステップＳ３１ｃ）。
【００６１】
一方、電話番号の入力であると判断された場合、発話内容制御部２２は、図１０（ａ）に示す電話番号入力画面を表示部１７に表示する。この電話番号入力画面では、入力された数字列からなる電話番号１７ｉが画面中央部に表示される。そして、第１の機能表示１７ｂには「−／Ｐ」なる文字が表示され、第１の機能キー２１ｃの操作によって、電話番号１７ｉに「−」記号を入力することと、電話番号１７ｉへの発信処理中にポーズ（遊び時間）を挿入する指示を入力することができることを示す。
【００６２】
また、第２の機能表示１７ｃには「メニュー」なる文字が表示され、第２の機能キー２１ｄの操作によって、後述するように、サブメニューが表示されることを示す。
【００６３】
発話内容制御部２２は、キー制御部２０から所定のオフフックキーの識別子を受信することによって発信処理が選択されたと判断し（ステップＳ３１ｄ）、そのキーの識別子の受信前に、第２の機能キー２１ｄが操作され、発話の内容を示す情報を通知することが選択されたか否かによって、通話の内容を示す情報を通知するか否かを判断する（ステップＳ３１ｅ）。
【００６４】
発話の内容を示す情報を通知しないと判断された場合、発話内容制御部２２は、通信制御部３を制御して、通常の発信処理を行わせる（ステップＳ３１ｆ）。図１０（ｂ）は、この発信処理の際に発話内容制御部２２によって表示部１７に表示される通常発信処理画面の一例を示す。この通常発信処理画面では、画面中央部に「発信中」なる状況表示１７ｊと、電話番号１７ｉとが表示される。
【００６５】
一方、第２の機能キー２１ｄが操作された場合、発話内容制御部２２は、図１０（ｃ）に示すサブメニュー表示画面を表示部１７に表示する。サブメニュー表示画面の中央部には、サブメニュー１７ｋが表示される。サブメニュー１７ｋは、「サブメニュー」なる標題を示す文字と、２つの選択肢「［１］内容通知発信」と、「［２］アドレス帳に登録」とを示す文字とからなる。
【００６６】
ワープ十字キー２１ｂによるカーソル移動操作とワープ中央キー２１ａによる確定操作とによって、選択肢「［２］アドレス帳に登録」が選択された場合、発話内容制御部２２、アドレス帳制御部２４を制御して、入力された電話番号１７ｉをアドレス帳２３に記憶させる動作をさせる（図示せず）。
【００６７】
一方、選択肢「［１］内容通知発信」が選択された場合、制御部２は、発話の内容を示す情報を通知すると判断して（ステップＳ３１ｅの「ＹＥＳ」）、発信先の移動通信端末装置ＭＳに送信する通話の内容を示す情報を入力する（ステップＳ３１ｇ）。
【００６８】
図１０（ｄ）は、この入力のために、発話内容制御部２２によって表示部１７に表示される発話内容情報設定画面の一例を示す。この発話内容情報設定画面では、画面中央部に発話内容入力欄１７ｍが表示され、発呼モードと、メッセージと、認証情報との入力が促されている。
【００６９】
図１０（ｄ）に示す発話内容情報設定画面では、発呼モードとして、「緊急  ５」、即ち、緊急な発信であって、緊急の度合いが５であることが入力され、メッセージは、設定されたメッセージから選択することと、使用者が入力することとが可能であり、使用者によって「納入システムにトラブル発生！！」が入力され、認証情報として、「ＸＸＸＸ」が入力されている。
【００７０】
また、図１０（ｄ）に示す発話内容情報設定画面では、第１の機能表示１７ｂとして「発信」が表示されており、発話内容制御部２２は、第１の機能キー２１ｃが操作されたか否かによって発信が選択されたか否かを判断し（ステップＳ３１ｈ）、第１の機能キー２１ｃ以外のキーが操作された場合（ステップＳ３１ｈの「ＮＯ」）、発話内容制御部２２は、ステップＳ３１ｂの受信された識別子が電話番号であるか否かを判断する動作に移る。
【００７１】
一方、第１の機能キー２１ｃが操作されることによって発信が選択された場合（ステップＳ３１ｈの「ＹＥＳ」）、発話内容制御部２２は、ステップＳ３１ｇで図１０（ｄ）に示す発話内容情報設定画面を用いて入力された発話の内容を示す情報を、ＳＭＳ制御部１２を制御して図１０（ａ）に示す電話番号１７ｉを宛先に送信させる（ステップＳ３１ｉ）。
【００７２】
図１１（ａ）は、ステップＳ３１ｉの送信動作の際に、発話内容制御部２２によって表示部１７に表示される発信内容通知画面の一例を示す。この発信内容通知画面では、画面中央部に「発信内容通知中」なる状況表示１７ｎと、電話番号１７ｉとが表示されている。なお、この発信内容通知画面は、後述する上記送信された情報に応答するショートメッセージ受信を待ち、または、所定のタイムアウトを待つ間にも表示される。
【００７３】
図１２は、図１０（ｄ）に示す発話内容情報設定画面を用いて入力された発話の内容を示す情報から、発話内容制御部２２によって作成され、ＳＭＳ制御部１２に送信されるショートメッセージの一例を示す。このショートメッセージは、５行からなり、１行目の「＜ＰＲＥＮＯＴＩＣＥ＿ＭＥＳＳＡＧＥ＞」は、このショートメッセージの開始を示し、５行目の「＜／ＰＲＥＮＯＴＩＣＥ＿ＭＥＳＳＡＧＥ＞」は、このショートメッセージの終了を示す。
【００７４】
そして、２行目の「＜ＣＦ＞ＸＸＸＸ＜／ＣＦ＞」は、認証情報を示し、３行目の「＜ＬＶＬ＞ＥＭＥＲＧＥＮＣＹ  ５＜／ＬＶＬ＞」は、この発話内容が緊急であって、緊急の度合いが５であることを示す情報であり、４行目の「＜ＭＳＧ＞納入システムにトラブル発生！！＜／ＭＳＧ＞」は、この発話内容に付加されたメッセージを示す。
【００７５】
次に、発話内容制御部２２は、ＳＭＳ制御部１２を制御して、受信されたショートメッセージの送信を要求することによって、ステップＳ３１ｉで送信させたショートメッセージに対する応答を待ち（ステップＳ３１ｊ）、ＳＭＳ制御部１２から応答であるショートメッセージを得たか否かを判断する（ステップＳ３１ｋ）。応答を得た場合（ステップＳ３１ｋの「ＹＥＳ」）、その応答は、発信を許可する応答であるか拒否する応答であるかをその応答を解析して判断する（ステップＳ３１ｍ）。
【００７６】
図１３は、発信を許可する応答であるショートメッセージの一例を示す。このショートメッセージは、４行からなり、１行目の「＜ＲＥＳＰＯＮＣＥ＿ＭＥＳＳＡＧＥ＞」は、この応答であるショートメッセージの開始を示し、４行目の「＜／ＲＥＳＰＯＮＣＥ＿ＭＥＳＳＡＧＥ＞」は、このショートメッセージの終了を示す。そして、２行目の「＜ＣＦ＞ＸＸＸＸ＜／ＣＦ＞」は、認証情報を示し、３行目の「＜ＲＥＳ＞ＯＫ＜／ＲＥＳ＞」は、この応答が発信を許可する応答であることを示す。
【００７７】
図１４は、発信を拒否する応答であるショートメッセージの一例を示す。このショートメッセージは、５行からなり、１行目の「＜ＲＥＳＰＯＮＣＥ＿ＭＥＳＳＡＧＥ＞」は、この応答であるショートメッセージの開始を示し、５行目の「＜／ＲＥＳＰＯＮＣＥ＿ＭＥＳＳＡＧＥ＞」は、このショートメッセージの終了を示す。
【００７８】
そして、２行目の「＜ＣＦ＞ＸＸＸＸ＜／ＣＦ＞」は、認証情報を示し、３行目の「＜ＲＥＳ＞ＲＥＦＵＳＥ＜／ＲＥＳ＞」は、この応答が発信を拒否する応答であることを示し、４行目の「＜ＭＳＧ＞取り込み中のため、応答することができません。＜／ＭＳＧ＞」は、この応答に付加された情報を示す。
【００７９】
ステップＳ３１ｍで、応答は発信を拒否する応答であると判断された場合（ステップＳ３１ｍの「ＮＯ」）、発話内容制御部２２は、発信を拒否する応答であるショートメッセージの内容を表示部１７に表示する（ステップＳ３１ｎ）。
【００８０】
図１１（ｂ）は、ステップＳ３１ｎで、発話内容制御部２２によって表示部１７に表示される発信拒否情報表示画面の一例を示す。この発信拒否情報表示画面では、画面中央部に発信非許可メッセージ１７ｏが表示されている。発信非許可メッセージ１７ｏは、標題文字「発信非許可」と、上記発信を拒否することを示すショートメッセージの応答に付加された情報である文字「取り込み中のため、応答することができません。」と、「ＯＫ」が表示されたボタンとからなる。確定キーが操作された場合、及び、所定の時間が経過した場合、発話内容制御部２２は、この発信拒否情報表示画面の表示を終了し、動作を終了する（ステップＳ３１ｏ）。
【００８１】
ステップＳ３１ｍで、応答は発信を許可する応答であると判断された場合（ステップＳ３１ｍの「ＹＥＳ」）、発話内容制御部２２は、電話番号１７ｉへの発信処理を行う（ステップＳ３１ｐ）。図１１（ｃ）は、ステップＳ３１ｐで、発話内容制御部２２によって表示部１７に表示される内容通知発信処理画面の一例を示す。この内容通知発信処理画面では、画面中央部に「内容通知発信中」なる状況表示１７ｐと、電話番号１７ｉとが表示されている。
【００８２】
続いて、発話内容制御部２２は、動作を終了する（ステップＳ３１ｑ）。なお、ステップＳ３１ｐで行われた発信処理に引き続き行われる通話処理及び通話終了の処理は、制御部２が通信制御部３、通話制御部５及び音声制御部６を制御して行う。また、制御部２は、所定の表示を表示部１７に行う。
【００８３】
ステップＳ３１ｋで、応答を得ない場合（ステップＳ３１ｋの「ＮＯ」）、発話内容制御部２２は、ステップＳ３１ｉでショートメッセージを送信させた時からの経過時間を計測し、所定の時間が経過したか否かによってタイムアウトが発生したか否かを判断する（ステップＳ３１ｒ）。タイムアウトが発生していない場合、ステップＳ３１ｊに動作を移して、更に、上記応答を待つ。
【００８４】
一方、タイムアウトが発生した場合、発話内容制御部２２は、ステップＳ３１ｐに動作を移し、発信処理以降の動作を行う。なぜなら、発信先の移動通信端末装置ＭＳが上記応答を送信しない設定となっている可能性があるからである。また、この場合、図１１（ｃ）に示した内容通知発信処理画面に代えて、タイムアウトが発生した状況を表示する画面を表示し、キー制御部２０から所定のキーの識別子を受信した場合、ステップＳ３１ｐの発信処理以降の動作をしても良い。
【００８５】
（通話の内容を示す情報を受信して、その情報と設定値とに従う着信応答処理）
移動通信端末装置ＭＳが、通話の内容を示す情報を受信して、その情報と移動通信端末装置ＭＳ内に記憶された設定値とに従って着信に対する応答を行う処理を説明する。
【００８６】
図１５は、発話内容制御部２２の、この処理の動作のフローチャートを示し、図１６及び図１７は、この処理の際の表示部１７の表示の一例を示す。
【００８７】
装置が待ち受け状態にある場合、制御部２は、通信制御部３から送信された着信があったことを示す制御信号を受信して、発話内容制御部２２を起動し、発話内容制御部２２は、動作を開始し（ステップＳ４１ａ）、その制御信号がショートメッセージの受信を示す信号であるか否かを判断する（ステップＳ４１ｂ）。
【００８８】
図１６（ａ）は、待ち受け状態にある場合、制御部２によって表示部１７に表示される待ち受け画面の一例を示す。この待ち受け画面は、ピクト欄１７ａと、ピクト欄１７ａ以外の画面からなる待ち受け画面壁紙１７ｑとからなる。この待ち受け画面壁紙１７ｑは、ドーム状の建物の画像であるが、これに限るものではない。待ち受け状態にあっては、第１の機能表示１７ｂ及び第２の機能表示１７ｃは表示されない。装置の使用者の指示によって動作している処理部はないためである。
【００８９】
ショートメッセージの受信でないと判断された場合（ステップＳ４１ｂの「ＮＯ」）、発話内容制御部２２は、上記制御信号に従った処理部に動作に移す（ステップＳ４１ｃ）。そして、その処理部の動作に従った表示が表示部１７に表示される。
【００９０】
一方、ショートメッセージの受信であると判断された場合（ステップＳ４１ｂの「ＹＥＳ」）、発話内容制御部２２は、ＳＭＳ制御部１２を制御して、そのショートメッセージを受信させ、そのショートメッセージが発話内容通知用の情報であるか否かを判断する（ステップＳ４１ｄ）。発話内容通知用の情報であるか否かの判断は、そのショートメッセージが図１２に示すように、「＜ＰＲＥＮＯＴＩＣＥ＿ＭＥＳＳＡＧＥ＞」なる行で始まり、「＜／ＰＲＥＮＯＴＩＣＥ＿ＭＥＳＳＡＧＥ＞」なる行で終わる場合、発話内容通知用の情報であり、然らずば、発話内容通知用の情報でないと判断する。
【００９１】
上記ショートメッセージは発話内容通知用の情報でないと判断された場合、発話内容制御部２２は、通常のＳＭＳを受信する処理部に動作を移す（ステップＳ４１ｅ）。即ち、図５に一例を示す呼び出し設定値１８ｇに従って着信報知動作を行い、ＳＭＳ制御部１２を制御して、上記ショートメッセージを処理させる。
【００９２】
図１６（ｂ）は、ステップＳ４１ｅで、制御部２が表示部１７に表示する通常ＳＭＳ受信画面の一例を示す。この通常ＳＭＳ受信画面では、画面中央部に通常ＳＭＳ受信メッセージ１７ｒが表示されている。通常ＳＭＳ受信メッセージ１７ｒは、「受信」なる標題文字と、封筒を示す画像及び「ＳＭＳ  １件」なる文字からなり、ショートメッセージが１件受信されていることを示す。
【００９３】
一方、上記ショートメッセージは発話内容通知用の情報であると判断された場合（ステップＳ４１ｄの「ＹＥＳ」）、発話内容制御部２２は、上記ショートメッセージが発信許可または発信拒否を判定すべきものであるか否かを判断する（ステップＳ４１ｆ）。即ち、発話内容制御部２２は、ショートメッセージから認証情報を抽出する。図１２に示すショートメッセージで、「＜ＣＦ＞」と「＜／ＣＦ＞」とで囲まれている部分が認証情報である。
【００９４】
次に、発話内容制御部２２は、モード１８ｂがこの動作の時点で設定されているモードに等しく、かつ、認証情報１８ｅが上記抽出された認証情報と等しい、対応付けられた情報の組を発信許可設定値１８ａから検索する。
【００９５】
上記検索によって、情報が得られない場合（ステップＳ４１ｆの「ＮＯ」）、発話内容制御部２２は、上記ショートメッセージは発信許可または発信拒否を判定すべきものではないと判断して、動作を終了する（ステップＳ４１ｇ）。なお、この動作終了の際、上記ショートメッセージを破棄するが、これに限るものではない。通常のＳＭＳを受信する処理部に動作を移して通常のショートメッセージと同様に処理させても良い。
【００９６】
上記検索によって、情報が得られた場合（ステップＳ４１ｆの「ＹＥＳ」）、発話内容制御部２２は、上記検索された情報の拒否時動作１８ｄが「自動ＳＭＳ」である、即ち、自動ＳＭＳ送信が設定されているか否かを判断する（ステップＳ４１ｈ）。設定されている場合、発信を許可するか拒否するかを判断し、その判断結果をＳＭＳ制御部１２を制御して送信させる（ステップＳ４１ｉ）。
【００９７】
この判断のため、発話内容制御部２２は、まず、上記ショートメッセージの発話内容を抽出する。図１２に示すショートメッセージで、「＜ＬＶＬ＞」と「＜／ＬＶＬ＞」とで囲まれている部分が発話内容を示し、例えば、その部分が「ＥＭＥＲＧＥＮＣＹ  ５」であれば、この発話内容は、緊急着信であり、緊急度が５であることを示す。次に、抽出された発話内容が上記検索された情報の発信許可１８ｃに含まれるか否かを判断する。例えば、緊急着信であり、緊急度が５である発話内容は、図４に例示した発信許可設定値１８ａの発信許可１８ｃの「緊急着信、緊急度３以上」に含まれる。
【００９８】
上記抽出された発話内容が上記検索された情報の発信許可１８ｃに含まれる場合、発話内容制御部２２は、図１３に例示した発信を許可する応答であるショートメッセージをＳＭＳ制御部１２を制御して、上記発話内容通知用のショートメッセージを送信した移動通信端末装置ＭＳに送信させる。
【００９９】
上記抽出された発話内容が上記検索された情報の発信許可１８ｃに含まれない場合、発話内容制御部２２は、図１４に例示した発信を拒否する応答であるショートメッセージをＳＭＳ制御部１２を制御して、上記発話内容通知用のショートメッセージを送信した移動通信端末装置ＭＳに送信させる。ここで、この応答に付加された情報を示す、「＜ＭＳＧ＞」と「＜／ＭＳＧ＞」とで囲まれた部分には、検索された情報の拒否時メッセージ１８ｆを設定する。
【０１００】
図１６（ｃ）は、発話内容通知用のショートメッセージを受信し、また、そのショートメッセージへの応答であるショートメッセージが送信されている際に表示部１７に表示される内容通知受信処理画面の一例を示す。この画面は、図１６（ａ）に示す待ち受け画面と同じであり、ピクト欄１７ａと、ピクト欄１７ａ以外の画面からなる待ち受け画面壁紙１７ｑとからなる。この待ち受け画面壁紙１７ｑは、ドーム状の建物の画像である。
【０１０１】
ここで、第１の機能表示１７ｂ及び第２の機能表示１７ｃは表示されない。また、この際、ショートメッセージが受信されたことを報知する動作は行われない。なぜなら、このショートメッセージの受信及び応答は、使用者の直接の操作によって送信されるものではないため、動作している処理部を使用者に意識させないためである。
【０１０２】
自動ＳＭＳ送信が設定されていない場合（ステップＳ４１ｈの「ＮＯ」）、及び、ステップＳ４１ｉの動作の後、発話内容制御部２２は、制御部２からの通話着信の通知待ちに入り（ステップＳ４１ｊ）、通話着信の通知を得たか否かを判断する。この通知には、発信元の移動通信端末装置ＭＳの電話番号が含まれる（ステップＳ４１ｋ）。通話着信の通知を得ない場合（ステップＳ４１ｋの「ＮＯ」）、発話内容制御部２２は、ステップＳ４１ａで動作を開始してから所定の時間が経過したか否かによって、タイムアウトであるか否かを判断する（ステップＳ４１ｍ）。
【０１０３】
タイムアウトである場合、発話内容制御部２２は、動作を終了する（ステップＳ４１ｎ）。なお、この動作終了の際、ステップＳ４１ｄで受信されたショートメッセージを破棄するが、これに限るものではない。通常のＳＭＳを受信する処理部に動作を移して通常のショートメッセージと同様に処理させても良い。一方、タイムアウトでない場合、発話内容制御部２２は、ステップＳ４１ｊの制御部２からの通話着信の通知待ちの動作に移る。
【０１０４】
通話着信の通知を得た場合（ステップＳ４１ｋの「ＹＥＳ」）、発話内容制御部２２は、その通知に含まれる発信元の移動通信端末装置ＭＳの電話番号と、ステップＳ４１ｄで受信された発話内容通知用のショートメッセージの発信元の移動通信端末装置ＭＳの電話番号とを比較することによって、その通知とそのショートメッセージとの発信元が一致するか否かを判断する（ステップＳ４１ｏ）。
【０１０５】
その通知とそのショートメッセージとの発信元が一致しない場合、発話内容制御部２２は、動作を終了し、制御部２は、通常の着信処理を行う（ステップＳ４１ｐ）。なお、この動作終了の際、発話内容制御部２２は、ステップＳ４１ｄで受信された発話内容通知用のショートメッセージを破棄するが、これに限るものではない。通常のＳＭＳを受信する処理部に動作を移して通常のショートメッセージと同様に処理させても良い。
【０１０６】
一方、上記通知と上記ショートメッセージとの発信元が一致する場合、発話内容制御部２２は、ステップＳ４１ｉで行った判断と同様に、発信を許可するか否かを判断する（ステップＳ４１ｑ）。図１７（ａ）は、この発信を許可するか否かが判断されている際に表示部１７に表示される許可非許可判定処理画面の一例を示す。
【０１０７】
この許可非許可判定処理画面は、図１６（ａ）に示す待ち受け画面と同じであり、ピクト欄１７ａと、ピクト欄１７ａ以外の画面からなる待ち受け画面壁紙１７ｑとからなる。この待ち受け画面壁紙１７ｑは、ドーム状の建物の画像である。ここで、第１の機能表示１７ｂ及び第２の機能表示１７ｃは表示されない。なぜなら、上記判断は、使用者の直接の操作によって行われるものではないため、動作している処理部を使用者に意識させないためである。
【０１０８】
上記発信を非許可とすると判断された場合（ステップＳ４１ｑの「ＮＯ」）、発話内容制御部２２は、発信切断処理を行って（ステップＳ４１ｒ）、動作を終了する（ステップＳ４１ｓ）。ここで、発信切断処理は、例えば、着信に対して着呼し、直ちにその呼を切断する処理であるが、これに限るものではない。発信許可設定値１８ａの拒否時動作１８ｄを参照して、着呼動作を行わないまま、着信を放置する処理であっても良く、また、留守番電話部を起動して、録音動作をさせても良い。
【０１０９】
図１７（ｂ）は、この発信切断処理の際に表示部１７に表示される発信切断処理画面の一例を示す。この発信切断処理画面は、図１６（ａ）に示す待ち受け画面と同じであり、ピクト欄１７ａと、ピクト欄１７ａ以外の画面からなる待ち受け画面壁紙１７ｑとからなる。この待ち受け画面壁紙１７ｑは、ドーム状の建物の画像である。ここで、第１の機能表示１７ｂ及び第２の機能表示１７ｃは表示されない。なぜなら、上記切断処理は、使用者の直接の操作によって行われるものではないため、動作している処理部を使用者に意識させないためである。
【０１１０】
上記発信を許可すると判断された場合（ステップＳ４１ｑの「ＹＥＳ」）、発話内容制御部２２は、発話内容通知着信処理を行う（ステップＳ４１ｔ）。即ち、発話内容制御部２２は、例えば、緊急着信画面を表示部１７に表示し、着信を報知する。
【０１１１】
図１７（ｃ）は、緊急着信画面の一例を示す。この緊急着信画面では、画面中央部に「緊急着信中」なる状況表示１７ｓと、発話内容表示１７ｔと、発信元の移動通信端末装置ＭＳの電話番号１７ｕとが表示されている。ここで、状況表示１７ｓは赤字で表示される。また、発話内容表示１７ｔは、ステップＳ４１ｄで受信された発話内容通知用のショートメッセージに含まれる発話内容に付加されたメッセージであって、「＜ＭＳＧ＞」と＜／ＭＳＧ＞」とに挟まれる部分であり、図１２に示すショートメッセージの一例では、「納入システムにトラブル発生！！」である。この発話内容表示１７ｔは、背景が赤字で表示される。
【０１１２】
更に、発話内容制御部２２は、ステップＳ４１ｄで受信された発話内容通知用のショートメッセージから着信の種別と、度合いとを抽出する。例えば、図１２に示すショートメッセージの一例からは、それぞれ「緊急着信」と「５」とを抽出する。そして、着信種別１８ｈが抽出された着信の種別と等しく、かつ、度合い１８ｉが抽出された度合いに等しい情報を呼び出し設定値１８ｇから検索する。
【０１１３】
そして、発話内容制御部２２は、検索によって得られたメロディ１８ｊの着信音を着信音記憶部（図示せず）から検索して、検索された着信音を検索によって得られた音量１８ｋで鳴動させる。この際、検索によって得られた追加動作モード１８ｍに「マナーモード」が含まれていれば、マナーモードが設定されている場合であっても上記着信音を鳴動させる。更に、検索によって得られたＬＥＤ動作１８ｎに従って、ＬＥＤ制御部１０を制御してＬＥＤ１１を点灯させる。
【０１１４】
発話内容制御部２２は、発話内容通知着信処理の後、動作を終了し、（ステップＳ４１ｕ）、続いて、制御部２は、通常の着呼処理、通話処理及び通話終了処理を行う。
【０１１５】
以上説明した、発話内容制御部２２のステップＳ４１ｑの発信を許可するか否かを判断する動作と、その判断に従った着信への対応動作によって、使用者は、緊急な通話の着信に気が付かないことがなく、また、多忙な際に緊急でない通話によって作業を中断されることがない。なぜなら、緊急度が高い通話の着信の際に大音量で着信音を鳴動させることが可能だからである。また、移動通信端末装置ＭＳを紛失した際、緊急度が高い通話をその装置に発信して、その装置に大音量で着信音を鳴動させることによって、その装置の捜索の効率を上げることができる。
【０１１６】
以上の説明では、発話内容を示す情報及び発信を許可または拒否する情報は文書記述言語であるＨＴＭＬ言語で記述されるとしたが、これに限るものではない。異なる文書記述言語で記述されていても良く、また、文書記述言語によらない文字情報であっても良い。更に、暗号化された情報であっても良い。
【０１１７】
以上の説明では、発話内容は、ＳＭＳ制御部１２によってショートメッセージとして通信され、また、発信を許可または拒否する情報はショートメッセージとして通信されるとしたが、これに限るものではない。これらの情報は、例えば、メール制御部１５によって電子メールとして通信されても良い。また、発話内容は、ＴＶ電話制御部９によって映像音声信号として、または、映像音声信号に付随された文字情報として通信されても良い。
【０１１８】
以上の説明では、受信側の移動通信端末装置ＭＳは、ステップＳ４１ｏの通話内容の送信元と、着信の送信元とが一致するか否かの判断に際し、通話内容通知用のショートメッセージの送信元の電話番号と、着信の送信元の電話番号が一致するか否かによるとしたが、これに限るものではない。
【０１１９】
例えば、通話内容通知用のショートメッセージ中に含まれる電話番号と着信の送信元の電話番号が一致するか否かによっても良い。また、通話内容が電子メールとして通信される場合、その電子メールの送信元のアドレスがメールアドレス２３ｃ、そして、着信の送信元の電話番号が電話番号２３ｂとして１組の情報としてアドレス帳２３に記憶されているか否かで判断する。
【０１２０】
以上の説明では、発話内容通知用のメッセージであることは、「＜ＰＲＥＮＯＴＩＣＥ＿ＭＥＳＳＡＧＥ＞」なる行で始まり、「＜／ＰＲＥＮＯＴＩＣＥ＿ＭＥＳＳＡＧＥ＞」なる行で終わることによって識別されるとしたが、これに限るものではない。例えば、発話内容がメール制御部１５によって電子メールとして通信される場合、電子メールのヘッダに含めて通信されても良い。発信を許可する応答のメッセージと、発信を拒否する応答のメッセージとについても同じである。
【０１２１】
以上の説明は、本発明を移動通信端末装置ＭＳに適用した形態を例にとって行ったがこれに限るものではない。本発明は、あらゆる通信端末装置に適用することが当然に可能である。本発明は以上の構成に限定されるものではなく、種々の変形が可能である。
【図面の簡単な説明】
【０１２２】
【図１】本発明の実施形態に係る移動通信端末装置を含む通信システムの構成を示すブロック図。
【図２】本発明の実施形態に係る移動通信端末装置の外観図。
【図３】本発明の実施形態に係る移動通信端末装置の構成を示すブロック図。
【図４】本発明の実施形態に係る発信許可設定値の構成の一例を示す図。
【図５】本発明の実施形態に係る呼び出し設定値の構成の一例を示す図。
【図６】本発明の実施形態に係るアドレス帳の構成の一例を示す図。
【図７】本発明の実施形態に係るＵＩ制御部が設定値を入力する際の表示部の表示の一例を示す図（その１）。
【図８】本発明の実施形態に係るＵＩ制御部が設定値を入力する際の表示部の表示の一例を示す図（その２）。
【図９】本発明の実施形態に係る発話内容制御部の発信動作のフローチャート。
【図１０】本発明の実施形態に係る発話内容制御部が発信動作をする際の表示部の表示の一例を示す図（その１）。
【図１１】本発明の実施形態に係る発話内容制御部が発信動作をする際の表示部の表示の一例を示す図（その２）。
【図１２】本発明の実施形態に係る発話内容通知用ショートメッセージの一例を示す図。
【図１３】本発明の実施形態に係る発信を許可するショートメッセージの一例を示す図。
【図１４】本発明の実施形態に係る発信を拒否するショートメッセージの一例を示す図。
【図１５】本発明の実施形態に係る発話内容制御部の着信時の動作のフローチャート。
【図１６】本発明の実施形態に係る発話内容制御部が着信時の動作をする際の表示部の表示の一例を示す図（その１）。
【図１７】本発明の実施形態に係る発話内容制御部が着信時の動作をする際の表示部の表示の一例を示す図（その２）。
【符号の説明】
【０１２３】
ＭＳ  移動通信端末装置
１  ＵＩ制御部
９  ＴＶ電話制御部
１１  ＬＥＤ
１２  ＳＭＳ制御部
１５  メール制御部
１７  表示部
１７ａ  ピクト欄
１７ｂ  第１の機能表示
１７ｃ  第２の機能表示
１７ｄ  機能選択メニュー
１７ｅ  モード選択メニュー
１７ｆ、１７ｈ  設定入力欄
１７ｇ  着信種別選択メニュー
１７ｉ、１７ｕ、２３ｂ  電話番号
１７ｊ、１７ｎ、１７ｐ、１７ｓ  状況表示
１７ｋ  サブメニュー
１７ｍ  発話内容入力欄
１７ｏ  発信非許可メッセージ
１７ｑ  待ち受け画面壁紙
１７ｒ  通常ＳＭＳ受信メッセージ
１７ｔ  発話内容表示
１８  設定値データ
１８ａ  発信許可設定値
１８ｂ  モード
１８ｃ  発信許可
１８ｄ  拒否時動作
１８ｅ  認証情報
１８ｆ  拒否時メッセージ
１８ｇ  呼び出し設定値
１８ｈ  着信種別
１８ｉ  度合い
１８ｊ  メロディ
１８ｋ  音量
１８ｍ  追加動作モード
１８ｎ  ＬＥＤ動作
１９  設定値データ制御部
２２  発話内容制御部
２３  アドレス帳
２３ａ  氏名
２３ｃ  メールアドレス
【図１】
2007088974.tif 000003
【図２】
2007088974.tif 000004
【図３】
2007088974.tif 000005
【図４】
2007088974.tif 000006
【図５】
2007088974.tif 000007
【図６】
2007088974.tif 000008
【図７】
2007088974.tif 000009
【図８】
2007088974.tif 000010
【図９】
2007088974.tif 000011
【図１０】
2007088974.tif 000012
【図１１】
2007088974.tif 000013
【図１２】
2007088974.tif 000014
【図１３】
2007088974.tif 000015
【図１４】
2007088974.tif 000016
【図１５】
2007088974.tif 000017
【図１６】
2007088974.tif 000018
【図１７】
2007088974.tif 000019